(57)【要約】【課題】  手挽き鋸を用いて枝打ち作業を行なう場合、基本的には片手で枝を支え持つ必要があるが、切断箇所や枝の性状によっては枝をつかみにくい。また、しなりやすい枝だと鋸刃の前後動に枝のたわみが同調して切断不可能になる場合がある。しかし従来これを効果的に防止することができなかった。【解決手段】  刃板と鋸柄とにより成る手挽き鋸であって、該鋸柄の外周には、該鋸柄上を摺動する支承筒を有し、また該支承筒には、該鋸刃の刃面に接触しない枝把持材が設けられている。【選択図】  図１
2013220072.tif 000002
【特許請求の範囲】
【請求項１】
刃板と鋸柄とにより成る手挽き鋸であって、該鋸柄の外周には、該鋸柄上を摺動する支承筒を有し、また該支承筒には、該鋸刃の刃面に接触しない枝把持材が設けられているものであることを特徴とする枝打用手挽き鋸。
【発明の詳細な説明】
【技術分野】
【０００１】
本発明は、枝打ち作業に適した手挽き鋸の構造に関するものである。
【背景技術】
【０００２】
果樹・庭木などの枝打ち作業に手挽き鋸を使用することは多い。この枝打ち作業は、製材された木材を切断する通常の鋸挽き作業とは異なり、作業台というものがなくしかも切断対象が「枝」であって太さも様々である。従って、例えば柔軟な小枝を切断する場合、鋸刃を前後動させても、枝のたわみがこの前後動に同調してしまって切断不能となることがある。
【０００３】
そこで通常は、鋸を利き手で持った状態で、他方の手で切断対象である枝を掴み、枝が同調しないようにして鋸刃を前後動させる。しかし枝を掴む位置が鋸刃から離れていては同調阻止効果は小さくなるし、鋸刃の近くを掴むことは危険である。またバラやサンショウ、ヒイラギ、タラノキ、等々枝や葉にトゲや刺毛がある樹木の場合、手で枝を掴む行為自体に多少の危険が伴う。
【０００４】
そうしたこともありこの枝打ち時の同調動作を、手を添えるという方法以外で阻止する工夫が種々提案されている。例えば特開２０００−２３６７４７公報では、高い所の枝を切り落とすために使用される枝切断具及びこの切断具を備えた往復動枝切断機として、枝を引っかけることができるフックを具備することで枝を保持するという発明が提案されている。
【先行技術文献】
【特許文献】
【０００５】
【特許文献１】特開２０００−２３６７４７公報
【発明の概要】
【発明が解決しようとする課題】
【０００６】
ところがこのフック構造の切断具の場合、枝に対して鋸刃とフック主体部とはどちらも同じ側にあり、枝を鋸刃の反対側から支持する可能性があるのはフックの先端部のみである。一方、鋸刃往復動において実際に切断するのは通常「引き動作」の時である。
即ち、柔軟で容易にたわむ小枝を切断する場合、当該小枝は手前側に引かれる傾向にあると言える。
【０００７】
しかるにこのフック構造の切断具の場合、フック先端の構造は、小枝が離れるのを規制するのには適しているが、小枝が手前に移動するのを防止する効果はほとんどない。
従って、この切断具を用いて枝打ち作業をする場合には、フック先端で枝を捕捉したらこの枝を手前側に出来るだけたわませた状態、即ち枝が自身の復元力によってフック内面の刃側に付勢されるようにした状態で、鋸刃を駆動させる必要がある。
当然このような作業は、枝に不必要な負荷をかけることになるし、場合によっては思いもしない箇所で枝が折れてしまい、収穫に支障を来してしまうということにもなりかねない。
【課題を解決するための手段】
【０００８】
そこで本発明者は、こうした点に鑑み鋭意研究の結果遂に本発明を成したものでありその特徴とするところは、刃板と鋸柄とにより成る手挽き鋸であって、該鋸柄の外周には、該鋸柄上を摺動する支承筒を有し、また該支承筒には、該鋸刃の刃面に接触しない枝把持材が設けられている点にある。
【０００９】
本発明の最大の特徴は、支承筒及び枝把持材の存在とその機能にある。即ち、枝打ちに際して、まず枝把持材（或いは刃板と枝把持材）とによって枝の切断希望部分を把持し、その後片手で支承筒を握り、他方の手で鋸柄を握る。次いで、他方の手のみを前後動（往復）させるものである。
【００１０】
支承筒は、片手で握れる大きさ・形状をしており、鋸柄外周に配置され鋸柄上を摺動する部材である。これを可能とするため、鋸柄及び支承筒は当然ながら構造上の制約を受ける。鋸柄に関して言えば、自身の外周上を支承筒が摺動できるものであるので、摺動方向に直交する断面の形状が一定であることが望ましいし、摺動が直線である方が好ましいので柄の中心軸も直線であることが望ましい。
【００１１】
枝把持材は、文字通り枝打ちの際に切断部分を把持しておくための部材である。把持の形態としては、この把持材単独で枝を把持する場合と、切断作業を担当する刃板と把持材が共同して枝を把持する場合とがあるが、本発明においてはどちらであっても良いものとする。また、枝把持材は１基であっても良いし、２基即ち一対配置されるものであっても良い。２基の場合には、刃板を挟むような形で取り付けるのが好ましい。
なお枝把持材は、その一端が支承筒に固定されるものであり自由端側は、切断作業を担当する刃板に接近しても接触はしないように設計される。
【００１２】
枝把持材の切断対象（枝）に接当する部分（枝支承部）は、鋸刃による切断動作の際に枝がずれることがないよう構成されるがその詳細については特に限定しないものとする。枝支承部の「ずれ防止」のための典型的な構造は歯構造である。歯構造とすることで、枝にジグザグ先端（歯）が食い込み、ズレが防止できる。歯以外の構造としては、紙ヤスリ状の粗面とする構造、枝支承部を凹湾させる構造、先端側に立ち上がり部を設ける構造、多数の溝を設ける構造、等が考えられる。
【００１３】
また、枝把持材の一端は支承筒に固定されるわけであるが、枝を把持した状態を維持して切断作業を遂行することになるので、この間は枝把持力を増す方向に付勢されていることが好ましい。方策としては、支承筒をつかむ際の握力を利用する方法、バネによって常時付勢しておく方法、等があるがこれについても特に限定はしない。
【発明の効果】
【００１４】
本発明に係る枝打用手挽き鋸は、枝を片手で固定した状態で鋸挽きするので、鋸動作に伴って枝が前後動するということがなく、枝に負荷を与えるない切断作業を行なうことができるという効果を有する極めて高度な発明である。
【図面の簡単な説明】
【００１５】
【図１】本発明に係る枝打用手挽き鋸の一例を示す側面図である。
【図２】（ａ）（ｂ）（ｃ）は、本発明に係る枝打用手挽き鋸の使用方法の一例を経時的且つ概略的に示すいずれも側面図である。
【図３】本発明に係る枝打用手挽き鋸の他の一例を示す側面図である。
【図４】本発明に係る枝打用手挽き鋸の更に他の例を示す側面図である。
【図５】（ａ）（ｂ）は、いずれも本発明に係る枝打用手挽き鋸についての更に他の例を示すものであり、（ａ）は側面図、（ｂ）は側面の一部を示すものである。
【図６】（ａ）（ｂ）は、いずれも本発明に係る枝打用手挽き鋸についての更に他の例を示す側面図である。
【発明を実施するための形態】
【実施例１】
【００１６】
図１は、本発明に係る枝打用手挽き鋸１（以下「本発明鋸１」という）の一例を示す側面図であり、図より明らかなように、本例の本発明鋸１は、従来の典型的な枝打用鋸と同様刃板２と鋸柄３を有するものであるが、これらに更に、支承筒４と枝把持材５とを付設した構造となるものである。
【００１７】
鋸柄３は図では明らかでないが、断面形状が長円状である。そして後端（刃板２取設側と反対側の端）にはグリップ３１が配置されている。本例では鋸柄３には平滑性の高い硬質プラスチックを用い、グリップ３１には逆に防滑性の高い合成ゴムを用いた。
【００１８】
支承筒４は、断面が長円状の筒体であり、鋸柄３をその外周に沿って摺動し得るものである。即ち、この支承筒４を左手で持ち、右手でグリップ３１を持った状態で、左手は動かさずに右手だけを前後動させることができる構造となっている。
【００１９】
支承筒４の前方には、枝把持材５が存在する。本例の枝把持材５は、刃板２を挟む形で配置されるものであり、杆部５１と把持部５２及び軸受部５３とにより構成されるものを一対、支承筒４前部の両側面（図では手前側面しか明らかでない）に軸受部５３をあてがう形で配置し、ピン６にて取り付けている。これによって支承筒４と枝把持材５とが可回動に一体化されている。把持部５２には、二つの山形切欠が刻設されており、これにて形成される二つの切り込みのいずれかに枝が嵌り、これを把持するという構造である。
【００２０】
図２（ａ）（ｂ）（ｃ）は、本発明鋸１の使用方法の一例を示すものである。また、枝把持材５が支承筒４に対して可回動であること、支承筒４が鋸柄３に対して摺動自在であることも明らかにしている。
【００２１】
使用に際しては、まず切断対象の枝Ｂに本発明鋸１をセットするところから始まるが、本例の本発明鋸１の場合であれば、刃板２の歯列部側と枝把持材５の把持部５２で枝Ｂを挟むことでセット作業は完了する。
本例の場合枝把持材５と支承筒４との回動は完全にフリーでありバネその他によって付勢されていない。従って、枝把持材５を回動させてやる作業は、枝把持材５の後端側を手で操作することによって行なう。そのため本例の枝把持材５は、軸受部５３よりも後方にレバー５４が延出している。そして、枝把持材５とこのレバー５４を一緒に握ると、把持部５２は枝Ｂ側に付勢されることになる。
この状態で、もう片方の手でグリップ３１を握り、グリップ３１のみを前後動させると枝打ち作業が遂行される。
【実施例２】
【００２２】
図３は、本発明の他の例を示す側面図である。本例は、枝把持材５の構造等についての変形例であり、枝把持材５は、前端に受け部５５１を有する固定杆５５に、前端に受け部５６１を有する移動杆５６を、この固定杆５５に沿ってスライドするように組み合わせたものである。そして、移動杆５６のスライド量は、グリップ３１側に取設されたレバー７で調整する。本例では、自転車用ブレーキワイヤーを利用して製作したが他の形態であっても良い（図示せず）。
レバー７を握ると、移動杆５６が固定杆５５側にスライドし、受け部５６１と５５１が接近することになる。これによって枝Ｂを把持することになる。即ち本例で枝把持は、枝把持材５単独で成すことができる。従って、枝を切り落とす際の切り落とされる側を把持すれば、落下させないようにできる。
なお本例では、枝把持材５だけで枝を把持しており、刃板２は枝の把持に直接貢献していない。また、刃板２を挟んで一対設けるという前例とは異なり、刃板２の左右どちらか片方に設けただけで良い。
【００２３】
図４は、固定杆５５や移動杆５６等の構造については図３の例と共通するが、レバー７はグリップ３１側ではなく支承筒４側に配置されており、また自転車用ブレーキワイヤーは用いていない。レバー７を握ると移動杆５６が固定杆５５側にスライドし、受け部５６１と５５１が接近する、という機能は同じである。
【００２４】
図５（ａ）（ｂ）は、図１と同様枝把持材５が、杆部５１と把持部５２及び軸受部５３とにより構成されている例であるが、把持部５２の形状が異なる例である。同図（ａ）は先端が鋭利な鋼線をコーム状に配列したもの、同図（ｂ）は鋸歯状のジグザグ凹凸を設けたものである。
【００２５】
図６（ａ）（ｂ）は、支承筒４の下部後端側に回動軸が配置された枝把持杆５の例を示すものであり、枝を把持する際には、手でグリップ３１を握る際に、この枝把持杆５ともども握るようにすることで枝を把持するという機能は、図１で示した構造のものと共通する。
【符号の説明】
【００２６】
１    本発明に係る枝打用手挽き鋸
２    刃板
３    鋸柄
３１  グリップ
４    支承筒
５    枝把持材
５１  杆部
５２  把持部
５３  軸受部
５４  レバー
５５  固定杆
５６  移動杆
６    ピン
７    レバー
Ｂ    枝
【図１】
2013220072.tif 000003
【図２】
2013220072.tif 000004
【図３】
2013220072.tif 000005
【図４】
2013220072.tif 000006
【図５】
2013220072.tif 000007
【図６】
2013220072.tif 000008